(57)【要約】【課題】画質を向上し、狭額縁化されたＯＬＥＤ表示装置を提供する。【解決手段】本発明の一実施形態に係るＯＬＥＤ表示装置は、複数の制御信号線と複数のデータ信号線とが交差して配置された位置に複数の画素がマトリクス状に配置された第１基板と、第１基板と対向して配置される第２基板と、を備え、複数の画素の各々は、制御信号線から供給される制御信号に応じてデータ信号線から供給されるデータ電圧が書き込まれる画素回路と、画素回路からデータ電圧に応じた電流が供給される第１電極及び電源電圧が供給される第２電極を備えたＯＬＥＤ素子と、を含み、第１基板及び第２基板は、それぞれ複数の電源配線を備え、第１基板の複数の電源配線と第２基板の複数の電源配線とは、それぞれ導電性部材を介して接続され、複数の電源配線の各々は、ＯＬＥＤ素子の第２電極に接続されることを特徴とする。【選択図】図３
2014106507.tif 000002
【特許請求の範囲】
【請求項１】
複数の制御信号線と複数のデータ信号線とが交差して配置された位置に複数の画素がマトリクス状に配置された第１基板と、
前記第１基板と対向して配置される第２基板と、を備え、
前記複数の画素の各々は、
前記制御信号線から供給される制御信号に応じて前記データ信号線から供給されるデータ電圧が書き込まれる画素回路と、
前記画素回路から前記データ電圧に応じた電流が供給される第１電極及び電源電圧が供給される第２電極を備えたＯＬＥＤ素子と、を含み、
前記第１基板及び前記第２基板は、それぞれ複数の電源配線を備え、
前記第１基板の前記複数の電源配線と前記第２基板の前記複数の電源配線とは、それぞれ導電性部材を介して接続され、
前記複数の電源配線の各々は、前記ＯＬＥＤ素子の前記第２電極に接続されることを特徴とするＯＬＥＤ表示装置。
【請求項２】
前記第２基板の前記複数の電源配線は、前記第１基板の前記複数の画素が配置された表示領域と重畳しない位置に配置されることを特徴とする請求項１に記載のＯＬＥＤ表示装置。
【請求項３】
前記導電性部材は、前記第１基板の前記複数の画素が配置された表示領域と重畳しない位置に、前記第１基板と前記第２基板とを接続して配置されることを特徴とする請求項１又は２に記載のＯＬＥＤ表示装置。
【請求項４】
前記導電性部材は、導電性樹脂又は異方性導電膜であることを特徴とする請求項１乃至３のいずれか一項に記載のＯＬＥＤ表示装置。
【請求項５】
前記ＯＬＥＤ素子の前記第２電極は、前記複数の画素に対応して一つ配置される共通電極であり、前記複数の電源配線と複数個所において接続されて前記電源電圧を給電されることを特徴とする請求項１乃至４のいずれか一項に記載のＯＬＥＤ表示装置。
【発明の詳細な説明】
【技術分野】
【０００１】
本発明は、ＯＬＥＤ（organic light-emitting diode）素子を備えたＯＬＥＤ表示装置に関する。
【背景技術】
【０００２】
近年、ＯＬＥＤ表示装置など、供給される電流に応じた強度で発光する素子（以下、「電流発光素子」という。）を用いた表示装置が開発されている。このような表示装置は、電流発光素子に供給される電流量を、各画素における駆動トランジスタにより制御して、表示の階調が制御される。
【０００３】
このような表示装置のうち、ＯＬＥＤ表示装置には、各画素に対応した複数のＯＬＥＤ素子及び駆動トランジスタがマトリクス状に形成された基板（以下、「アレイ基板」という。）の上に、ＯＬＥＤ素子からの光を透過させる対向基板を貼り合わせた構造を有するものがある。ＯＬＥＤ素子は発光（ＥＬ）層を有し、発光層の上下には発光のための電流を供給するアノード及びカソード電極が配置され、これらの電極は、アレイ基板上の電源配線を介してドライバＩＣあるいはその他の外部電源と接続されて電源電圧の供給を受ける。
【０００４】
このような電源と電極間の伝達損失を最小限にするために、従来の表示装置には、アレイ基板上の電源配線の厚膜化、線幅増加、複線化、多層化等により、電源配線の低抵抗化を実現しようとするものがある（例えば、特許文献１参照。）。
【先行技術文献】
【特許文献】
【０００５】
【特許文献１】特開２００１−１５４２１８号公報
【発明の概要】
【発明が解決しようとする課題】
【０００６】
しかしながら、大画面化に伴う配線長の増加、高精細化・狭額縁化に伴う電源配線領域の縮小等により、アレイ基板上の電源配線が高抵抗化し、上述したような従来の表示装置では、電圧降下による輝度不足や、電圧の電源近端/遠端差による画面内輝度分布(輝度傾斜)が原因となり、画質劣化を生じさせる虞があった。
【０００７】
本発明は上述した課題に鑑みてなされてものであり、大画面・高精細・狭額縁の表示装置を設計する際に課題となる、電源配線の高抵抗化に伴う輝度傾斜に対し、電源配線を配置可能なアレイ基板上の領域の制約を受けることなく、電源配線を低抵抗化し、画質向上を実現するＯＬＥＤ表示装置を提供することを目的とする。
【課題を解決するための手段】
【０００８】
本発明の一実施形態に係るＯＬＥＤ表示装置は、複数の制御信号線と複数のデータ信号線とが交差して配置された位置に複数の画素がマトリクス状に配置された第１基板と、前記第１基板と対向して配置される第２基板と、を備え、前記複数の画素の各々は、前記制御信号線から供給される制御信号に応じて前記データ信号線から供給されるデータ電圧が書き込まれる画素回路と、前記画素回路から前記データ電圧に応じた電流が供給される第１電極及び電源電圧が供給される第２電極を備えたＯＬＥＤ素子と、を含み、前記第１基板及び前記第２基板は、それぞれ複数の電源配線を備え、前記第１基板の前記複数の電源配線と前記第２基板の前記複数の電源配線とは、それぞれ導電性部材を介して接続され、前記複数の電源配線の各々は、前記ＯＬＥＤ素子の前記第２電極に接続されることを特徴とする。
【０００９】
また、前記第２基板の前記複数の電源配線は、前記第１基板の前記複数の画素が配置された表示領域と重畳しない位置に配置されてもよい。
【００１０】
前記導電性部材は、前記第１基板の前記複数の画素が配置された表示領域と重畳しない位置に、前記第１基板と前記第２基板とを接続して配置されてもよい。
【００１１】
前記導電性部材は、導電性樹脂又は異方性導電膜であってもよい。
【００１２】
前記ＯＬＥＤ素子の前記第２電極は、前記複数の画素に対応して一つ配置される共通電極であり、前記複数の電源配線と複数個所において接続されて前記電源電圧を給電されてもよい。
【発明の効果】
【００１３】
本発明によれば、対向基板の額縁領域に電源配線を設けることにより、電源配線を配置可能なアレイ基板上の領域の制約を受けることなく、電源配線を低抵抗化して給電することができるため、電源配線の高抵抗化に伴う輝度傾斜を生じさせずに、画質を向上させることができ、且つ、大画面化、高精細化、狭額縁化が可能なＯＬＥＤ表示装置を提供することができる。
【図面の簡単な説明】
【００１４】
【図１】本発明の一実施形態に係るＯＬＥＤ表示装置の概略構成を示す平面図である。
【図２Ａ】本発明の一実施形態に係るＯＬＥＤ表示装置の画素の概略構成を示す断面図である。
【図２Ｂ】本発明の一実施形態に係るＯＬＥＤ表示装置に用いられる画素回路の一例を示す回路図である。
【図３】本発明の第１の実施形態に係るＯＬＥＤ表示装置の構成を説明するための図であり、（ａ）は、アレイ基板を示す平面図であり、（ｂ）は、ＯＬＥＤ表示装置を示す断面図である。
【図４】本発明の第１の実施形態に係るＯＬＥＤ表示装置の構成を説明するための図であり、（ａ）は、対向基板の平面図であり、（ｂ）は、アレイ基板の平面図である。
【図５】本発明の第２の実施形態に係るＯＬＥＤ表示装置の構成を説明するための図であり、（ａ）は、アレイ基板を示す平面図であり、（ｂ）及び（ｃ）は、ＯＬＥＤ表示装置を示す断面図である。
【図６】本発明の第２の実施形態に係るＯＬＥＤ表示装置の構成を説明するための図であり、（ａ）は、対向基板の平面図であり、（ｂ）は、アレイ基板の平面図である。
【図７】本発明の第３の実施形態に係るＯＬＥＤ表示装置の構成を説明するための図であり、（ａ）は、アレイ基板を示す平面図であり、（ｂ）及び（ｃ）は、ＯＬＥＤ表示装置を示す断面図である。
【図８】本発明の第３の実施形態に係るＯＬＥＤ表示装置の構成を説明するための図であり、（ａ）は、対向基板の平面図であり、（ｂ）は、アレイ基板の平面図である。
【図９】従来のＯＬＥＤ表示装置の構成を説明するための図であり、（ａ）は、アレイ基板を示す平面図であり、（ｂ）は、ＯＬＥＤ表示装置を示す断面図である。
【発明を実施するための形態】
【００１５】
以下、図面を参照しながら、本発明のＯＬＥＤ表示装置の実施形態について説明する。なお、本発明のＯＬＥＤ表示装置は、以下の実施形態に限定されることはなく、種々の変形を行ない実施することが可能である。
【００１６】
図１に、本発明の一実施形態に係るＯＬＥＤ表示装置１００の概略構成を示す。本実施形態に係るＯＬＥＤ表示装置１００は、基板１１０上に形成された、表示領域１０１、ＦＰＣ（Ｆｌｅｘｉｂｌｅ  ｐｒｉｎｔｅｄ  ｃｉｒｃｕｉｔｓ）１０２、ドライバＩＣ１０３、及び走査線駆動回路１０４ａを備える。表示領域１０１には、図中の横方向に走る複数の制御信号線ｇ１−１〜ｇ１−３と縦方法に走る複数のデータ信号線ｄ１〜ｄ３とが互いに交差して配置され、制御信号線ｇ１−１〜ｇ１−３とデータ信号線ｄ１〜ｄ３との交差部に対応する位置に、複数の画素１０５がマトリクス状に配置される。図１には、一例として、一画素１０５あたり３本の制御信号線ｇ１−１〜ｇ１−３と１本のデータ信号線ｄ１とが交差して配置される構成を図示しているが、この構成に限定されるものではない。
【００１７】
また、ＯＬＥＤ表示装置１００は、表示領域１０１を挟んで走査線駆動回路１０４ａと対向する位置に、図１に図示したように、走査線駆動回路１０４ａ以外の周辺回路及び配線等が形成される領域１０４ｂを有していてもよい。走査線駆動回路１０４ａとその他の周辺回路及び配線が形成される領域１０４ｂの位置は、図１に図示した位置に限定されず、いずれか一方の位置にのみ形成されるものであってもよい。また、以下、走査線駆動回路１０４ａ、及び他の周辺回路等が形成される領域１０４ｂについて、周辺回路領域１０４ａ、１０４ｂという。
【００１８】
各画素１０５には、データ信号線ｄ１〜ｄ３から供給されるデータ電圧を保持するコンデンサと、制御信号線ｇ１−１〜ｇ１−３から供給される制御信号に応じて各画素１０５に供給されるデータ電圧の書き込みを制御することにより各画素１０５の発光を制御する薄膜トランジスタとを備えた画素回路が配置される。
【００１９】
以下、図２Ａ及び図２Ｂを参照し、画素１０５の構成についてより詳細に説明する。
【００２０】
図２Ａは、本発明の一実施形態に係るＯＬＥＤ表示装置１００に用いられる画素１０５の概略構成を示す断面図である。図２Ｂは、本発明の一実施形態に係るＯＬＥＤ表示装置１００に用いられる画素回路２０の一例を示した回路図である。
【００２１】
図２Ａに図示したように、画素１０５は、基板１１０上に形成された画素回路２０と、画素回路２０上に絶縁膜２２及び平坦化膜２１を介して形成されたＯＬＥＤ素子１０とを含む。ＯＬＥＤ素子１０は、反射膜１９上に形成されたアノード（陽極）１３と、アノード１３上に形成された、ホール注入層（ＨＩＬ）１８、ホール輸送層（ＨＴＬ）１７、発光層（ＥＭＬ）１６、電子輸送層（ＥＴＬ）１５、及び電子注入層（ＥＩＬ）１４が順次積層されて構成される有機ＥＬ（Organic  Electro-Luminescence）層１２と、有機ＥＬ層１２上に形成されたカソード（陰極）１１と、を備える。アノード１３は、画素１０５ごとに配置され、有機ＥＬ層１２に電流を供給して発光を制御する電極である。また、カソード１１は、全ての画素１０５に対応して一つ配置され、共通電極として機能する電極である。なお、図２Ａに図示した画素回路２０を備えたＯＬＥＤ表示装置１００は、トップエミッション型のＯＬＥＤ表示装置を構成するため、カソード１１は、有機ＥＬ層１２から出射される光を透過させるように透光性を有する材料を用いて形成される。
【００２２】
図２Ｂに図示したように、各画素１０５の画素回路２０は、４つのトランジスタＴＲ１〜ＴＲ４と、２つのコンデンサＣ１、Ｃ２と、ＯＬＥＤ素子１０（図２Ｂに示したＯＬＥＤ）とを備えるものであってもよい。トランジスタＴＲ１は、ソースがデータ電圧ラインＤＡＴＡ（図１に示したデータ信号線ｄ１）に接続され、ドレインがコンデンサＣ１の一方の電極に接続され、ゲートが走査電極ラインＳＥＬＥＣＴ（図１に示した制御信号線ｇ１−１）に接続される。トランジスタＴＲ２は、ソースがコンデンサＣ１の他方の電極、コンデンサＣ２の一方の電極、及びトランジスタＴＲ３のゲートに共通接続されているとともに、ドレインがトランジスタＴＲ３のドレインとトランジスタＴＲ４のソースに共通接続され、ゲートが制御信号ラインＡＺ（図１に示した制御信号線ｇ１−２）に接続される。トランジスタＴＲ４は、ドレインがＯＬＥＤ素子１０のアノード１３に接続され、ゲートが制御信号ラインＡＺＢ（図１に示した制御信号線ｇ１−３）に接続される。トランジスタＴＲ３のソース及びコンデンサＣ２の他方の電極には第１電源電圧が印加され、ＯＬＥＤ素子１０のカソード１１には第２電源電圧が印加される。本発明の実施形態では、第１電源電圧はアノード電圧ＶＤＤとし、第２電源電圧はカソード電圧ＣＶとした。また、カソード電圧ＣＶには基準電圧又は負電圧が用いられる。
【００２３】
このような構成を備える画素回路２０は、トランジスタＴＲ３の動作しきい値電圧のばらつきを補正した後、コンデンサＣ１、Ｃ２等に電圧を保持させることにより、データ電圧ラインＤＡＴＡから供給されるデータ電圧に応じた輝度でＯＬＥＤ素子１０を発光させることができるように構成されている。このため、図２Ｂに図示した構成を備える画素回路２０は、トランジスタの特性ばらつきや電源電圧の降下等が表示に直接的に現れてしまうＯＬＥＤ表示装置等に用いられている。
【００２４】
このような画素回路２０を備えた従来のＯＬＥＤ表示装置１００ｘの構成について、以下、図９を参照して説明する。図９は、従来のＯＬＥＤ表示装置１００ｘの構成を説明するための図であり、（ａ）は、アレイ基板１１０を示す平面図であり、（ｂ）は、ＯＬＥＤ表示装置１００ｘを示す断面図である。なお、従来のＯＬＥＤ表示装置１００ｘについて、図１を参照して上述したＯＬＥＤ表示装置１００と同じ構成については同じ符号を付し、その説明を省略する。
【００２５】
図９に図示した従来のＯＬＥＤ表示装置１００ｘは、ＯＬＥＤ表示装置１００と同様に、複数の画素１０５を含む表示領域１０１、周辺回路領域１０４ａ、１０４ｂ、及びドライバＩＣ１０３を備えた基板１１０（以下、「アレイ基板１１０」という。）と、アレイ基板１１０にシール材１２５等を介して貼り合される対向基板１３０とを含む。アレイ基板１１０及び対向基板１３０は、いずれもガラス基板を用いて形成されたものであってもよい。また、対向基板１３０は、カラーフィルタを含むものであってもよく、タッチパネル機能を備えた薄膜デバイス等であってもよい。
【００２６】
図９に図示したように、従来のＯＬＥＤ表示装置１００ｘにおいては、例えばドライバＩＣ１０３のような電源から、表示領域１０１に配置されたカソード１１に、アレイ基板１１０に配置された電源配線１２０ｘを介して電源電圧が供給される。なお、電源は、図９に図示したドライバＩＣ１０３から給電される構成に限らず、外部電源（図示せず）から給電される構成であってもよい。また、図９に図示した１２０ｘは、電源配線１２０ｘの電流経路を簡略化して図示したものであり、図９（ａ）に図示した電源配線１２０ｘの矢印の方向、及び図９（ｂ）に点線で図示した矢印Ｘの方向は、電源電圧の伝達方向を図示したものである。図９（ａ）には、カソード１１の配置位置を図示していないが、カソード１１は、表示領域１０１内において全ての画素１０５を覆うように配置されて共通電極として機能する。従って、図９（ａ）に図示した構成は一例に過ぎないが、カソード１１は、電源配線１２０ｘの矢印が表示領域１０１内において示すように、複数の個所において電源配線１２０ｘと接続され、電源電圧を給電されてもよい。なお、図９（ａ）は、電源配線１２０ｘが、矩形の表示領域１０１における４隅からカソード１１に接続された構成を図示したものである。
【００２７】
図９（ａ）に図示したように、表示領域１０１のカソード１１に接続される電源配線１２０ｘは、アレイ基板１１０上において、図９（ａ）に点線で図示した表示領域１０１及び周辺回路領域１０４ａ、１０４ｂを除いた領域に配置される。このとき、電源配線１２０ｘは、表示領域１０１の全体にわたっていずれの画素１０５にも一様に、且つ過不足なく電源電圧を供給することが求められる。このため、電源配線１２０ｘを低抵抗化する必要がある。
【００２８】
しかしながら、従来のＯＬＥＤ表示装置１００ｘにおいて、電源配線１２０ｘは、アレイ基板１１０上の表示領域１０１及び周辺回路領域１０４ａ、１０４ｂを除いた余白領域に配置せざるを得ず、その配線幅に制約を受けるものであった。また、大画面化による配線長増加、高精細化による電源配線１２０ｘ以外の回路の複雑化及び肥大化、及び狭額縁化による配線領域の縮小化等に伴い、配線幅の制約はますます大きくなる傾向があり、低抵抗化が難しい状況であった。一方、配線の複線化や多層化することにより一定の低抵抗効果は得られるものの、構造が複雑化し、表示性能の改善効果にも限界があった。そこで、本発明者は、電源配線１２０ｘの高抵抗化に伴う輝度傾斜を生じさせずに、画質を向上させることができ、且つ、大画面化、高精細化、狭額縁化を実現可能なＯＬＥＤ表示装置の構成を検討し、本発明に至った。
【００２９】
＜第１の実施形態＞
以下、図３及び図４を参照し、本発明の第１の実施形態に係るＯＬＥＤ表示装置１００の構成について説明する。図３は、本発明の第１の実施形態に係るＯＬＥＤ表示装置１００の構成を説明するための図であり、（ａ）は、アレイ基板１１０を示す平面図であり、（ｂ）は、ＯＬＥＤ表示装置１００を示す断面図である。図４は、本発明の第１の実施形態に係るＯＬＥＤ表示装置１００の構成を説明するための図であり、（ａ）は、対向基板１３０の平面図であり、（ｂ）は、アレイ基板１１０の平面図である。なお、以下、図９を参照して上述した従来のＯＬＥＤ表示装置１００ｘと同じ構成については同じ符号を付し、その説明を省略する。
【００３０】
図３に図示したように、第１の実施形態に係るＯＬＥＤ表示装置１００は、複数の画素１０５を含む表示領域１０１、周辺回路領域１０４ａ、１０４ｂ、及びドライバＩＣ１０３を備えたアレイ基板１１０と、アレイ基板１１０にシール材１２５（図３に図示せず）等を介して貼り合される対向基板１３０とを含む。また、第１の実施形態に係るＯＬＥＤ表示装置１００は、アレイ基板１１０と対向基板１３０との間に、導電性部材１２１ａ〜１２１ｄが配置され、アレイ基板１１０上に形成された電源配線１２０と、対向基板１３０上に形成された電源配線１２０とが、導電性部材１２１ａ〜１２１ｄを介して導通される。
【００３１】
電源配線１２０は、公知の材料を用いて形成することができ、ＩＴＯを用いて形成してもよく、アルミ、金、銀、銅等を用いて形成してもよい。導電性部材１２１ａ〜１２１ｄには、例えば、導電性樹脂や異方性導電膜（ＡＣＦ）を用いる。なお、図３（ａ）には、説明の便宜上、導電性部材１２１ａ〜１２１ｄの内側を電源配線１２０が通過するように図示しているが、実際には、アレイ基板１１０及び対向基板１３０にそれぞれ形成された電源配線１２０上に導電性部材１２１ａ〜１２１ｄが形成され、導電性部材１２１ａ〜１２１ｄを介してアレイ基板１１０と対向基板１３０とが接続されるように構成される。また、電源配線１２０及び導電性部材１２１ａ〜１２１ｄの配置される位置は、後述するように、図３に図示した構成に限定されるものではない。
【００３２】
図３（ａ）に図示した電源配線１２０の矢印の方向及び図３（ｂ）に点線で図示した矢印Ａの方向は、カソード電源電圧の伝達方向を示している。カソード電源電圧は、アレイ基板１１０上のドライバＩＣ１０３から、アレイ基板１１０上の電源配線１２０に伝達された後、導電性部材１２１ａ、１２１ｄを介して対向基板１３０上の電源配線１２０に伝達され、さらに導電性部材１２１ｂ、１２１ｃを介してアレイ基板上の電源配線１２０に伝達され、表示領域１０１のカソード１１に給電される。
【００３３】
電源配線１２０は、図４（ａ）に図示したように、対向基板１３０上においては、表示領域１０１と重畳しない対向基板１３０の額縁領域である領域１２２に配置することができる。従って、対向基板１３０の額縁領域の幅を最大限利用して電源配線１２０の配線幅を決定することができ、電源配線１２０の低抵抗化を図ることが可能となる。また、電源配線１２０は、図４（ｂ）に図示したように、アレイ基板１１０上においては、表示領域１０１及び周辺回路領域１０４ａ、１０４ｂを除いた余白領域１２３のいずれの位置に配置されてもよい。これにより、カソード電源電圧を、図４（ｂ）に矢印Ｂとして電源電圧の伝達方向を図示したように、矩形の表示領域１０１の４辺からいずれの位置に配置された画素１０５に対しても偏りがないように低抵抗給電することが可能となる。従って、電源側に位置する表示領域１０１の近端部と、電源と対向する位置にある表示領域１０１の遠端部とで輝度傾斜が生じないように給電することができ、ＯＬＥＤ表示装置１００の画質劣化を低減させることが可能となる。
【００３４】
なお、電源配線１２０は、図３及び図４に図示したアレイ基板１１０と対向基板１３０とに敷設して導電性部材１２１ａ〜１２１ｄを介して接続する電源配線１２０の構成に、図９に図示したアレイ基板１１０のみに敷設する電源配線１２０ｘの構成を組み合わせて構成してもよい。
【００３５】
また、図３（ａ）には、対向基板１３０のアレイ基板１１０と対向する側の面上に電源配線１２０が配置される構成を図示しているが、図示した構成に限定されず、対向基板１３０のアレイ基板１１０と対向しない側の面上に電源配線１２０が配置されてもよい。例えば、対向基板１３０がカラーフィルタ基板である場合には、カラーフィルタを含む積層膜を覆う保護膜上に電源配線１２０が配置されてもよい。
【００３６】
また、図３及び図４には、導電性部材１２１ａ〜１２１ｄが表示領域１０１を囲む額縁状の領域１２２、１２３の４隅に配置された構成を図示しているが、ＯＬＥＤ表示装置１００の狭額縁化との兼ね合いで、導電性部材１２１ａ〜１２１ｄの数は４つに限らず１つ以上の複数であってもよく、配置位置についても電源配線１２０が配置可能な領域１２２、１２３であればいずれの位置に配置されてもよい。
【００３７】
以上のように、本発明の第１の実施形態に係るＯＬＥＤ表示装置１００によれば、アレイ基板１１０上に形成された電源配線１２０と対向基板１３０上に形成された電源配線１２０とを、導電性部材１２１ａ〜１２１ｄを介して接続し、且つ、対向基板１３０上の額縁領域１２２を利用して電源配線１２０を低抵抗化するように構成することにより、アレイ基板１１０上での配線幅制約を受けずに、電源配線１２０を低抵抗化することが可能となる。
【００３８】
従って、本発明の第１の実施形態に係るＯＬＥＤ表示装置１００によれば、電源配線１２０の高抵抗化に伴う輝度傾斜を生じさせずに画質を向上させることができ、且つ、大画面・高精細・狭額縁のＯＬＥＤ表示装置１００を実現できる。
【００３９】
＜第２の実施形態＞
以下、図５及び図６を参照し、本発明の第２実施形態に係るＯＬＥＤ表示装置１００の構成について説明する。図５は、本発明の第２の実施形態に係るＯＬＥＤ表示装置１００の構成を説明するための図であり、（ａ）は、アレイ基板１１０を示す平面図であり、（ｂ）及び（ｃ）は、ＯＬＥＤ表示装置１００を示す断面図である。図６は、本発明の第２の実施形態に係るＯＬＥＤ表示装置１００の構成を説明するための図であり、（ａ）は、対向基板１３０の平面図であり、（ｂ）は、アレイ基板１１０の平面図である。なお、以下、図３及び図４を参照して上述した第１の実施形態に係るＯＬＥＤ表示装置１００と同じ構成については同じ符号を付し、その説明を省略する。
【００４０】
第２の実施形態に係るＯＬＥＤ表示装置１００は、図５及び図６に図示したように、アレイ基板１１０及び対向基板１３０にそれぞれ配置された２つの電源配線１２０ａ、１２０ｂと、８つの導電性部材１２１ｅ〜１２１ｌとを備える。第２の実施形態に係るＯＬＥＤ表示装置１００は、電源配線１２０ａ、１２０ｂを複線化することにより、複数電源の低抵抗給電を実現しようとするものである。
【００４１】
図５及び図６に図示したように、アレイ基板１１０上に配置された電源配線１２０ａは、アレイ基板１１０及び対向基板１３０の額縁領域のうち外縁側の領域１２２Ａ、１２３Ａに配置された導電性部材１２１ｅ〜１２１ｈを介して、対向基板１３０に配置された電源配線１２０ａと接続される。また、アレイ基板１１０上に配置された電源配線１２０ｂは、アレイ基板１１０及び対向基板１３０の額縁領域のうち表示領域１０１に近い側の領域１２２Ｂ、１２３Ｂに配置された導電性部材１２１ｅ〜１２１ｈを介して、対向基板１３０に配置された電源配線１２０ａと接続される。
【００４２】
このような構成を備えることにより、第２の実施形態に係るＯＬＥＤ表示装置１００は、図５（ｂ）及び（ｃ）に点線で示したカソード電源電圧の伝達方向を表す矢印Ｃ、Ｄのように、カソード電源電圧を、アレイ基板１１０上のドライバＩＣ１０３から、アレイ基板１１０上の電源配線１２０ａ、１２０ｂにそれぞれ伝達した後、導電性部材１２１ｅ、１２１ｈ又は導電性部材１２１ｉ、１２１ｌを介して対向基板１３０上の電源配線１２０ａ、１２０ｂにそれぞれ伝達し、さらに導電性部材１２１ｆ、１２１ｇ又は導電性部材１２ｊ、１２１ｋを介してアレイ基板１１０上の電源配線１２０ａ、１２０ｂにそれぞれ伝達し、表示領域１０１のカソード１１に給電する構成を備える。なお、図示していないが、複数の電源配線１２０ａ、１２０ｂの接続先はカソード１１に限定されるものではなく、その他の電源供給用途に電源配線１２０ａ、１２０ｂを用いてもよい。
【００４３】
以上のように、本発明の第２の実施形態に係るＯＬＥＤ表示装置１００は、対向基板１３０上の額縁領域１２２Ａ、１２２Ｂを利用して電源配線１２０ａ、１２０ｂをそれぞれ低抵抗化するように構成することにより、図６（ｂ）に電源電圧の伝達方向を示す矢印Ｅ、Ｆとして図示したように、電源電圧を矩形の表示領域１０１の４辺から各画素１０５に対して偏りなく低抵抗給電することが可能となる。
【００４４】
従って、本発明の第２の実施形態に係るＯＬＥＤ表示装置１００によれば、電源配線１２０ａ、１２０ｂを複線化した場合にも、第１の実施形態に係るＯＬＥＤ表示装置１００と同様に、対向基板１３０上の額縁領域１２２Ａ、１２２Ｂを利用して電源配線１２０ａ、１２０ｂをそれぞれ低抵抗化することができるため、輝度傾斜を生じさせずに表示領域１０１の各画素１０５に電源電圧を給電することができる。
【００４５】
＜第３の実施形態＞
以下、図７及び図８を参照し、本発明の第３実施形態に係るＯＬＥＤ表示装置１００の構成について説明する。図７は、本発明の第３の実施形態に係るＯＬＥＤ表示装置１００の構成を説明するための図であり、（ａ）は、アレイ基板１１０を示す平面図であり、（ｂ）及び（ｃ）は、ＯＬＥＤ表示装置１００を示す断面図である。図８は、本発明の第２の実施形態に係るＯＬＥＤ表示装置１００の構成を説明するための図であり、（ａ）は、対向基板１３０の平面図であり、（ｂ）は、アレイ基板１１０の平面図である。なお、以下、図３乃至図６を参照して上述した第１及び第２の実施形態に係るＯＬＥＤ表示装置１００と同じ構成については同じ符号を付し、その説明を省略する。
【００４６】
第３の実施形態に係るＯＬＥＤ表示装置１００は、図７及び図８に図示したように、アレイ基板１１０及び対向基板１３０にそれぞれ配置された２つの電源配線１２０ｃ、１２０ｄと、４つの導電性部材１２１ｍ〜１２１ｐとを備える。第３の実施形態に係るＯＬＥＤ表示装置１００は、第２の実施形態に係るＯＬＥＤ表示装置１００と同様に、複数電源の低抵抗給電を実現しようとするものである。
【００４７】
第３の実施形態に係るＯＬＥＤ表示装置１００は、図７（ｂ）及び（ｃ）に点線で示したカソード電源電圧の伝達方向を表す矢印Ｇ、Ｈのように、カソード電源電圧を、アレイ基板１１０上のドライバＩＣ１０３から、アレイ基板１１０上の電源配線１２０ｃ、１２０ｄにそれぞれ伝達した後、それぞれ導電性部材１２１ｍ、１２１ｐを介して対向基板１３０上の電源配線１２０ｃ、１２０ｄにそれぞれ伝達し、さらにそれぞれ導電性部材１２１ｎ、１２１ｏを介してアレイ基板１１０上の電源配線１２０ｃ、１２０ｄにそれぞれ伝達し、表示領域１０１のカソード１１に給電する構成を備える。なお、第２の実施形態に係るＯＬＥＤ表示装置１００と同様に、複数の電源配線１２０ｃ、１２０ｄの接続先はカソード１１に限定されるものではなく、その他の電源供給用途に電源配線１２０ｃ、１２０ｄを用いてもよい。
【００４８】
図８に図示したように、電源配線１２０ｃ、１２０ｄは、それぞれ対向基板１３０及びアレイ基板１１０において、表示領域１０１を囲む額縁領域のうち中央部を境に左側の領域１２３Ｃ、１２３Ｃと右側の領域１２２Ｄ、１２３Ｄとにそれぞれ配置される。従って、左側の領域１２３Ｃ、１２３Ｃと右側の領域１２２Ｄ、１２３Ｄとで異なる電源配線１２０ｃ、１２０ｄを配置することにより、表示領域１０１の左側の画素１０５と右側の画素１０５とで異なる電源電圧を供給することも可能となる。また、図８（ｂ）に電源電圧の伝達方向を示す矢印Ｉ、Ｊとして図示したように、電源電圧を矩形の表示領域１０１の４辺から各画素１０５に対して偏りなく低抵抗給電することも可能となる。
【００４９】
なお、図８には、表示領域１０１を囲む額縁領域のうち中央部を境に左側の領域１２３Ｃ、１２３Ｃと右側の領域１２２Ｄ、１２３Ｄとに分け、電源配線１２０ｃ、１２０ｄがそれぞれ配置される構成を図示したが、図示した中央部を境とする構成に限定されるものではなく、電源配線１２０ｃ、１２０ｄの配置位置は仕様に応じて適宜変更され得る。
【００５０】
以上のように、本発明の第３の実施形態に係るＯＬＥＤ表示装置１００によれば、対向基板１３０上の額縁領域１２２Ｃ、１２２Ｄを利用して電源配線１２０ｃ、１２０ｄをそれぞれ低抵抗化するように構成することにより、電源配線１２０ｃ、１２０ｄを複線化した場合にも、第１及び第２の実施形態に係るＯＬＥＤ表示装置１００と同様に、輝度傾斜を生じさせずに表示領域１０１の各画素１０５に電源電圧を給電することが可能となる。
【００５１】
以上のとおり、本発明の第１乃至第３の実施形態に係るＯＬＥＤ表示装置１００によれば、対向基板１３０の額縁領域に電源配線１２０、１２０ａ〜１２０ｄを設けることにより、電源配線１２０、１２０ａ〜１２０ｄを配置可能なアレイ基板１１０上の領域の制約を受けることなく、電源配線１２０、１２０ａ〜１２０ｄを低抵抗化して給電することができるため、電源配線１２０、１２０ａ〜１２０ｄの高抵抗化に伴う輝度傾斜を生じさせずに、画質を向上させることができ、且つ、狭額縁化されたＯＬＥＤ表示装置を提供することができる。
【符号の説明】
【００５２】
１００  ＯＬＥＤ表示装置
１０１  表示領域
１０３  ドライバＩＣ
１０４ａ、１０４ｂ  周辺回路領域
１０５  画素
１１０  アレイ基板
１２０、１２０ａ〜１２１ｄ  電源配線
１２１ａ〜１２１ｐ  導電性部材
１３０  対向基板
１０  ＯＬＥＤ素子
１１  カソード
１３  アノード
２０  画素回路
【図１】
2014106507.tif 000003
【図２Ａ】
2014106507.tif 000004
【図２Ｂ】
2014106507.tif 000005
【図３】
2014106507.tif 000006
【図４】
2014106507.tif 000007
【図５】
2014106507.tif 000008
【図６】
2014106507.tif 000009
【図７】
2014106507.tif 000010
【図８】
2014106507.tif 000011
【図９】
2014106507.tif 000012